【事件の表示】
　特願２００９−２４８２０９「入力装置」拒絶査定不服審判事件〔平成２３年　５月１２日出願公開、特開２０１１−　９５９２８〕について、次のとおり審決する。
【結　論】
　本件審判の請求は、成り立たない。
【理　由】
１．手続の経緯
　                        　　
　本願は、平成２１年１０月２８日の出願であって、平成２６年２月１４日付けで拒絶査定がなされ、これに対して同年５月１４日に拒絶査定不服審判の請求がなされたものである。
　
　
２．本願発明
　
　本願の請求項１に係る発明（以下、「本願発明」という。）は、平成２５年７月２２日付け手続補正書の特許請求の範囲の請求項１に記載された事項により特定される、以下のとおりのものと認める。
　
「タッチセンサと、
　前記タッチセンサのタッチ面に対する押圧荷重を検出する荷重検出部と、
　表示部と、
　前記タッチセンサのタッチ面を振動させる触感呈示部と、
　前記タッチ面に対する入力により、表示画像が変化しているときに、前記荷重検出部が触感を呈示する荷重基準を満たす押圧荷重を検出すると、前記タッチ面を押圧している押圧対象に対して触感を呈示するように前記触感呈示部を制御するとともに、所定の処理を実行するように制御する制御部と、
　を備えることを特徴とする入力装置。」
　
　
３．引用発明
　
　原査定の拒絶の理由に引用された、本願出願前に頒布された刊行物である特開２００５−９２４７２号公報（以下、「引用例」という。）には、図面とともに以下の記載がある。 
 　 
（ア）「【技術分野】
【０００１】
  本発明は、据置型や携帯型などの端末装置に用いられるタッチパネルを備えた表示装置に関する。
【背景技術】
【０００２】・・・（中略）・・・　
【０００３】・・・（中略）・・・
【０００４】・・・（中略）・・・
【０００５】・・・（中略）・・・
【発明が解決しようとする課題】
【０００６】
 　しかし、従来のタッチパネルを備えた表示装置では、その表示画面に操作ボタン（タッチボタン）などのタッチ操作部材からなる入力手段の画像を表示することにより、その入力手段を顧客やユーザの視覚で認識させ、この認識のもとに、この入力手段の画像の操作したいと思われる個所をタッチして操作するものであるから、次のような問題が生ずる。
【０００７】
　まず、ユーザがタッチ操作するためのタッチ操作部材のタッチ操作エリアは、表示画面に表示されたものであるから、そのタッチ操作エリア以外の部分と同じ平面上にあり、キーボードなどの操作部とは違って、タッチ操作エリアをタッチした感じとそれ以外の部分をタッチした感じとは同じである。このため、指先でタッチした位置が所望とするタッチ操作エリアからずれても、気が付かない場合
もあり得る。
【０００８】
　特に、タッチ操作部材として、案内のメッセージなどとともに、いくつかの操作ボタンを表示する場合には、これら操作ボタンを表示画面のあちこちに表示する場合があり、このように表示される操作ボタンを操作する場合には、指先のタッチ位置が所望とする操作ボタンの表示位置からずれる場合もあり得る。このようなずれがわずかであっても、この操作ボタンはタッチされなかったことになり、機能しない。しかし、ユーザとしては、その操作ボタンにタッチしたつもりであり、タッチしていないことに気が付かない場合もある。このため、再度同じ操作スイッチをタッチする操作をすることになるが、このためには、タッチしなかったと認識することが必要であり、しかし、この認識にある程度の時間を要することになる、という問題があった。
【０００９】
　また、多くの操作ボタンが互いに近接して表示画面に同時に表示するような場合もあり、このような場合には、各操作ボタンは比較的小さく表示されるので、指先のタッチ位置が所望とする操作ボタンの表示位置からわずかでもずれると、隣の操作ボタンにタッチしてしまうこともある。従来のタッパネルを備えた表示装置は、表示される操作ボタンがタッチされると、直ちに機能するように構成されているので、タッチ位置がずれて隣の操作ボタンにタッチすると、この隣の操作ボタンが機能してしまい、この機能を停止させて再度操作をし直さなければならない、という問題があった。
【００１０】
　本発明の目的は、かかる問題を解消し、表示画面に表される操作ボタンなどのタッチ操作部材を指先などでタッチしたことを容易に認識でき、しかも、該タッチ操作部材を操作したことを容易にかつ確実に認識できるようにしたタッチパネルを備えた表示装置を提供することにある。  
」 （２頁３２行〜３頁４６行）
 　 
（イ）「００１５】
　図１は本発明によるタッチパネルを備えた表示装置の第１の実施形態を示す構成図であって、同図（ａ）は外観斜視図、同図（ｂ）は側面図、同図（ｃ）は断面図であり、１は筐体、１ａは開口、２は表示画面、３は取付部、４はスタンド、５は回転軸、６はピン穴、７はピン、８は表示パネル、８ａは表示面、９はタッチパネル、１０，１０ａ，１０ｂは支持部材、１１は駆動モータ、１２は回転歯車、１３は平歯車、１４はリンク機構、１４ａ，１４ｂはリンク、１４ｃ，１４ｄは支持部材、１５，１６は引張りバネである。
【００１６】
　同図において、箱型の筐体１の前面に矩形状の開口１ａが形成されており、この開口１ａに表示画面２が設けられている。この表示画面２に、図示しないが、操作ボタンやメッセージなどのタッチ操作できる部材（以下、タッチ操作部材という）が表示され、かかるタッチ操作部材をタッチ操作することにより、この実施形態である表示装置を利用した装置（例えば、後述するＡＴＭや券売機など）を動作させることができる。」（４頁１９〜３１行）
　
（ウ）「【００２０】
　この筐体１内では、図１（ｃ）に示すように、表示手段を形成する表示パネル８とタッチパネル９とからなる表示手段が内蔵されており、この表示パネル８の表示面８ａとタッチパネル９とで表示画面２を形成している。タッチパネル９は、この表示部８ａに対向し、その周辺部が支持部材１０によって表示パネル８で支持されている。
【００２１】
　筐体１内には、また、表示画面２を筐体１の開口１ａに対して前後に移動させるための移動機構を備え、タッチパネル９での指先などによる押圧力に応じて表示画面２を開口１ａから引っ込めることができるようにしている。
【００２２】
　この移動機構は、図１（ｃ）において、駆動モータ１１やリンク機構１４などを用いて構成され、筐体１内の表示パネル８よりも奥部に配置されている。」（４頁４８行〜５頁９行）
　
（エ）「【００２７】
　図２（ａ）は表示画面２の初期状態を示すものであって、平歯車１３が最も奥側に移動した状態、・・・（中略）・・・、これらリンク１４ａ，１４ｂによって支持部材１０ａ，１０ｂが持ち上げられて表示画面のタッチパネル９が開口１ａに当接もしくは開口１ａに近接して配置されている。
【００２８】
　駆動モータ１１が時計廻り方向に所定回転量だけ回転すると、図２（ｂ）に示すように、・・・（中略）・・・、表示パネル８は矢印Ａ方向に移動し、表示画面２が開口１ａから後退する（引き込む）ことになる。
【００２９】
　駆動モータ１１が時計廻り方向に最大限回転したときには、図２（ｃ）に示すように、・・・（中略）・・・、表示パネル８は矢印Ａ方向に最大限移動したことになり、表示画面２が開口１ａから最大限引っ込んだ状
態となる。」（５頁３０行〜６頁１行）
　
（オ）「【００４２】
　図４（ａ）に示す状態は、図５での０≦Ｐ＜Ｐ１の状態を示すものであって、この状態では、タッチパネル９にタッチされていないと判定される。また、図４（ｂ）は指先１９がタッチパネル９にタッチした状態を示すものであるが、このとき、０≦Ｐ＜Ｐ１であれば、図５から、タッチパネル９にタッチされていないと判定するし、Ｐ１≦Ｐ＜Ｐ２であれば、タッチパネル９にタッチされただけで押し込まれてはいないと判定される。図４（ｃ）は指先１９でタッチパネル９を押し込むようにタッチした状態を示すものであり、図５において、Ｐ２≦Ｐの状態である。このときには、タッチパネル９が押し込まれると判定される。」（７頁２５〜３３行）
　
（カ）「【００４５】
　図６は第１の実施形態での回路構成の一具体例の要部を示すブロック図であって、２０は制御部、２１はスピーカ、２２は記憶部、２３は振動部であり、図１，図３に対応する部分には同一符号を付けて重複する説明を省略する。
【００４６】
　図６において、タッチパネル９がタッチセンサと圧力センサとを備えており、このタッチセンサの検出出力と圧力センサの検出圧力Ｐとが制御部２０に供給される。制御部２０は、タッチセンサの検知出力により、タッチパネル９での指先のタッチ位置を検出し、この検出圧力Ｐを基に、図５で説明した判定を行ない、その判定結果に応じて、記憶部２２に記憶されているデータを基に、後述するように、表示パネル８や映出装置１７を制御し、また、スピーカ２１で所定の音声再生を行なわせる。
【００４７】
　また、制御部２０は、圧力センサの検出圧力Ｐが、予め設定されている圧力値Ｐ１，Ｐ２に対し、Ｐ＜Ｐ１（タッチされていない）であるか、Ｐ１≦Ｐ＜Ｐ２（タッチされたか：「タッチ検知」）であるか、Ｐ２≦Ｐ（押し込みがなされたか：「圧力検知」）であるかが判定し、かかる判定に基づいて駆動モータ１１を制御する。」（７頁４１行〜８頁６行）
　
（キ）「【００４８】
　図７をもとに、駆動モータ１１による表示画面２の駆動量を説明するが、この図７は、図２（ａ）に示す状態のときの表示画面２の位置を基準にして、この基準位置からの駆動量を表わしている。
【００４９】
　図７（ａ）において、制御部２０は、Ｐ＜Ｐ１と判定したときには、駆動モータ１１による表示画面２の駆動量をゼロとして、表示画面２を図２（ａ）に示す状態に設定する。そこで、例えば、図２（ｂ）または（ｃ）に示す状態にあるとき、制御部２０は、Ｐ＜Ｐ１の判定をすると、駆動モータ１１を、その角度センサの検出出力をもとに、反時計廻り方向に回転制御し、リンク機構１４などの振動部２３を駆動して図２（ａ）に示す状態にする。また、制御部２０は、Ｐ１≦Ｐ＜Ｐ２と判定したときには、駆動モータ１１を回転制御して、図２（ｂ）に示す状態とし（これを、駆動１という）、Ｐ２≦Ｐと判定したときには、同様にして駆動モータ１１を回転制御して、図２（ｃ）に示す状態とする（これを、駆動２という）。
【００５０】
　なお、図７（ａ）において、駆動１の駆動量を０とし、Ｐ２≦Ｐのときのみ、駆動２を実行することもできる。指先による押圧力ＰがＰ１≦Ｐ＜Ｐ２のときには、画面表示の変化や音声案内を行ない、Ｐ２≦Ｐのときにのみ駆動を行なうことによっても、決定操作が実行されたことを操作者に確実に認識させることができ、かつ駆動制御を単純化することができる。」（８頁７〜２６行）
　
（ク）「【００５３】
　図８は制御部２０のかかる機能制御の第１の具体例を示すフローチャートである。なお、以下では、図５に示すように、この圧力Ｐが０≦Ｐ＜Ｐ１であるときの制御部２０による処理をＡ、Ｐ１≦Ｐ＜Ｐ２であるときの制御部２０による処理をＢ、Ｐ２≦Ｐであるときの制御部２０による処理をＣとする。これらの処理については後述するが、処理Ａは、当然のことながら、タッチパネル９へのタッチ操作もなされていないときの処理である。
【００５４】・・・（中略）・・・
  
【００５５】
　次に、図４（ｂ）または（ｃ）に示すように、タッチパネル９へのタッチ操作がなされると、Ｐ≧Ｐ１（これは、Ｐ≧Ｐ２も含む）となるから（ステップ１０２）、まず、図４（ｂ）または（ｃ）に示すようにタッチパネル９での指先１９でタッチされた位置（タッチ位置）が、操作ボタンなどのタッチ操作部材の処理Ｂ，Ｃを実行するべき位置であるか否かを判定する（ステップ１０３）。ここで、タッチセンサ（図６）により、指先１９のタッチ位置を検出し、これを記憶部２２（図６）のデータと比較して、このタッチ位置が処理Ｂ，Ｃの実行を必要とする位置、例えば、タッチ操作部材を操作ボタンとして、操作ボタンの表示エリア（以下、操作ボタンエリアという）内にあるかどうかを判定し、表示画面２で操作ボタンエリア内にタッチ位置があるときには、まず、処理Ｂを実行するとともに（ステップ１０４）、駆動モータ１１（図６）を制御して振動部２３、即ち、リンク機構１４を動作させ、表示画面２の駆動１（図７）を実行するが（ステップ１０５）、タッチ位置が操作ボタンエリア内にないときには、Ｐ≧Ｐ１である限り、ステップ１０３にあって処理Ａの実行を継続し、その後、Ｐ＜Ｐ１となった場合には（タッチパネル９から指先１９を離す）、図示しないが、ステップ
１００に戻り、また、指先１９が移動してタッチ位置が操作ボタンエリア内に入ると、これがタッチされたものと判定して処理Ｂと駆動１とを実行する（ステップ１０４，１０５）。このときの表示画面２（図１）に表示されるこの処理Ｂによる画面を(ii)とする。
【００５６】・・・（中略）・・・
  
【００５７】
　そして、圧力センサからその検出圧力Ｐを取り込んで判定し、Ｐ＜Ｐ１であるときには（ステップ１０６）、処理Ｂを終了して（ステップ１０７）ステップ１００に戻るが、Ｐ１≦Ｐであるときには（ステップ１０６）、さらに、Ｐ２≦Ｐであるか否かを判定し（ステップ１０８）、この判定の結果、Ｐ１≦Ｐ＜Ｐ２であるときには、ステップ１０３に戻り、Ｐ１≦Ｐ＜Ｐ２である限り、処理Ｂと駆動１をそのまま継続して実行する。また、Ｐ２≦Ｐのときには（ステップ１０８）、タッチ位置が操作ボタンのエリア内にあるとき、処理Ｃを実行するするとともに（ステップ１０８）、駆動２（図７）を実行する（ステップ１１０）。このときの表示画面２（図１）に表示される処理Ｃによる画面を(iii)とする。
【００５８】
　この処理Ｃは、操作ボタンに対しては、先の第１の実施形態と同様、例えば、その決定処理に相当するものであり、このとき同時に実行される駆動２は、表示画面２をガタンと大きくさらに押し込むものである。従って、表示画面２で表示される操作ボタンで実行操作を行なうと、これと同時に表示画面２が押し込まれるように動作するものであるから、ハード構成のスイッチを押し込み操作したのと同様の感触を得ることができ、大きな視差でもってこの操作ボタンの決定操作を行なっても、かかる操作をしたか否かを正確に判断することができるし、また、目が不自由な人も、上記の駆動１の実行に続く駆動２の実行により、決定操作が実行されたことを確実に知ることができる。
【００５９】・・・（中略）・・・
　
【００６０】
　処理Ｃと駆動２を実行してから、タッチパネル９から指先１９を離すと、Ｐ＜Ｐ２となるから（ステップ１１１）、処理Ｃを終了し（ステップ１１２）、処理１０３に戻るが、このとき、Ｐ＜Ｐ１であれば、処理１００に戻る。
【００６１】
　このようにして、図４（ｂ）に示すように指先１９がタッチパネル９での操作ボタンエリアに触れた状態にしてＰ１≦Ｐ＜Ｐ２とすると、処理Ｂと駆動１が行なわれ、また、図４（ｃ）に示すように指先１９でタッチパネル９での操作ボタンを押し込むようにタッチすると、Ｐ２≦Ｐとなり、処理Ｂの実行を経て処理Ｃと駆動２を実行することになる。」（８頁３８行〜１０頁１１行）
　
（ケ）「【００６３】
　図９は、タッチ操作部材を操作ボタンとして、かかる画面の具体例を示す図である。
【００６４】
　図９（ａ）は表示画面２に操作ボタン２４が表示され、この操作ボタン２４をタッチ操作すると、表示色が処理Ａ，Ｂ，Ｃで変化する場合の具体例を示すものである。図８のステップ１００〜１０２の動作では、処理Ａが行なわれて画面(i)が表示され、この画面(i)で、いま、第１の色により、操作ボタン２４が表示されているものとする。
【００６５】
　かかる表示状態で指先１９でこの操作ボタン２４のエリアをタッチすると、このときのタッチパネル９に対する圧力ＰがＰ１≦Ｐ＜Ｐ２であるときには（図８のステップ１０２）、このとき、タッチセンサ（図６）により、このときの指先１９のタッチ位置が検出され、このタッチ位置が、記憶部２２（図６）でのデータを基に、操作ボタン２４のエリア内にある（即ち、操作ボタン位置と一致している）と判定されると（ステップ１０３）、処理Ｂが実行され（図８のステップ１０４）、操作ボタン２４が第２の色に変化した画面(ii)が表示される。これとともに、図７での駆動１が実行され（図８のステップ１０５）、図２（ａ）に示す状態から図２（ｂ）に示す状態に移り、表示画面２がガタッと小さく、もしくはゆっくりと小さく奥の方に後退する。以上の処理Ｂと駆動１により、指先１９が
操作ボタン２４にタッチしたことが、視覚的にも、また、触覚的にも、認識できる。
【００６６】
　さらに、指先１９で操作ボタン２４を押し込むようにし、これにより、Ｐ２≦Ｐとなると、この場合も、タツチ位置が操作ボタン２４の位置と一致していると、操作ボタン２４が第３の色に変化した画面(iii)が表示され、これとともに、図７に示す駆動２が実行されて、図２（ｂ）に示す状態から図２（ｃ）に示す状態に急速に移り、表示画面２がガタンと大きく奥の方に後退する（なお、図７（ｃ）の場合には、逆に前進する）。これにより、この操作ボタン２４で実行操作などの機能操作が行なわれたことが（即ち、間違いなくこの操作ボタン２４を操作したことが）、視覚的にも、また、触覚的にも、認識できる。従って、誤った操作がなされたときには、これを容易に知ることができて、タッチ操作のやり直しを簡単に行なうことができ、誤操作防止も向上する。タッチパネル９から指先１９を離すと、画面(i)に戻る。」（１０頁１４〜４３行）
　
　
　上記引用例の記載及び関連する図面ならびにこの分野における技術常識を考慮すると、
　
ａ．上記（ア）、（イ）の記載によれば、引用例には、タッチパネルを備えた表示装置が記載されている。　
　また、上記（イ）の段落【００１５】の記載によれば、タッチパネルを備えた表示装置は、表示パネル、タッチパネル、駆動モータ、リンク機構を有している。
　
ｂ．さらに、上記（ウ）の段落【００２０】記載によれば、表示パネルとタッチパネルとで表示画面を形成すること、さらに、段落【００１６】の記載によれば、表示画面に、操作ボタンやメッセージなどのタッチ操作できるタッチ操作部材が表示され、該タッチ操作部材をタッチ操作することにより、表示装置を利用した装置を動作させることができることが記載されており、また、表示装置を利用した装置を動作させることは、タッチ操作部材の機能が実行されることにほかならない。
　そして、段落【００２１】には、移動機構でタッチパネルでの指先などによる押圧力に応じて表示画面を引っ込めること、また、段落【００２２】には、移動機構は駆動モータやリンク機構などを用いて構成されることが記載されている。
　
　したがって、引用例には、表示パネルとタッチパネルで表示画面を形成し、該表示画面に、操作ボタンやメッセージなどのタッチ操作できるタッチ操作部材が表示され、該タッチ操作部材をタッチ操作することにより、タッチ操作部材の機能が実行され、駆動モータとリンク機構から移動機構を構成し、該移動機構によって前記表示画面をタッチパネルへの指先による圧力に応じて引っ込めるように移動できることが記載されているといえる。
　
ｃ．上記（カ）の段落【００４５】、及び図６の記載によれば、タッチパネルを備えた表示装置が、制御部、記憶部、を備えており、さらに、段落【００４６】、【００４７】の記載によれば、タッチパネルがタッチセンサと圧力センサを備えており、タッチセンサの検出出力と圧力センサの検出圧力Ｐとが制御部に供給され、該制御部は、検出出力Ｐと、予め設定されている圧力値Ｐ１、Ｐ２、及び記憶部に記憶されているデータを基に、表示パネル、駆動モータを制御するものである。
　　
ｄ．上記（オ）の記載によれば、Ｐ１≦Ｐ＜Ｐ２であれば、タッチパネルに指先がタッチされた状態である。
　そして、上記（ク）の段落【００５５】の記載によれば、タッチ操作部材が操作ボタンの際に、タッチパネルへのタッチ操作がなされると、Ｐ≧Ｐ１（これは、Ｐ≧Ｐ２も含む）となるから（ステップ１０２）、指先のタッチ位置を検出し、これを記憶部のデータと比較して、操作ボタンの表示エリア（以下、操作ボタンエリアという）内にあるかどうかを判定し、表示画面で操作ボタンエリア内にタッチ位置があるときには、まず、処理Ｂを実行するとともに（ステップ１０４）、駆動モータを制御して振動部、即ち、リンク機構を動作させ、表示画面の駆動１（図７）を実行している。
　また、上記（キ）の段落【００４９】の記載によれば、制御部は、Ｐ１≦Ｐ＜Ｐ２と判定したときには、駆動モータを回転制御して、図２（ｂ）に示す状態と（これを、駆動１という）すること、さらに、段落【００５０】の記載によれば、駆動１の駆動量を０とし、指先による押圧力ＰがＰ１≦Ｐ＜Ｐ２のときには、画面表示の変換のみを行い、駆動制御を単純化できることが記載されており、制御部は、Ｐ１≦Ｐ＜Ｐ２と判定したとき駆動モータの駆動量をゼロとし、画面表示の変換のみを行うことが記載されているといえる。
　さらに、上記（ク）の段落【００６５】の記載によれば、指先で操作ボタンのエリアをタッチすると、このときのタッチパネルに対する圧力ＰがＰ１≦Ｐ＜Ｐ２であるときには（図８のステップ１０２）、このとき、タッチセンサにより、このときの指先のタッチ位置が検出され、このタッチ位置が、記憶部でのデータを基に、操作ボタンのエリア内にある（即ち、操作ボタン位置と一致している）と判定されると、処理Ｂが実行され（図８のステップ１０４）、操作ボタンが第２の色に変化して表示させることが記載されている。
　
　したがって、引用例には、制御部は、タッチ操作部材が操作ボタンの際にタッチパネルへの指先のタッチ操作がなされ、圧力センサの検出圧力ＰがＰ１≦Ｐ＜Ｐ２となるとタッチパネルへのタッチがされたと判断し、指先のタッチ位置を検出し、これを記憶部のデータと比較して、操作ボタンの表示エリア（以下、操作ボタンエリアという）内にあるかどうかを判定し、表示画面で操作ボタンエリア内にタッチ位置があるときには、まず、処理Ｂとして、操作ボタンの色が変化させることが記載されているといえる。
　
ｅ．上記（ク）の段落【００５７】の記載によれば、さらに、Ｐ２≦Ｐのときには（ステップ１０８）、タッチ位置が操作ボタンのエリア内にあるとき、処理Ｃを実行するするとともに（ステップ１０８）、駆動２（図７）を実行する（ステップ１１０）こと、そして、段落【００４９】の記載によれば、制御部は、Ｐ２≦Ｐと判定したときには、駆動モータを回転制御して、図２（ｃ）に示す状態とする（これを、駆動２という）こと、さらに、段落【００５８】には、処理Ｃは、操作ボタンに対しては、その決定処理に相当するものであり、このとき同時に実行される駆動２は、表示画面２をガタンと大きくさらに押し込むものである。従って、表示画面で表示される操作ボタンで実行操作を行なうと、これと同時に表示画面が押し込まれるように動作するものであるから、ハード構成のスイッチを押し込み操作したのと同様の感触を得ることができことが記載されている。
　
　したがって、引用例には、さらに、制御部は、Ｐ２≦Ｐのときには、指先のタッチ位置が操作ボタンのエリア内にあるとき、決定処理に相当する処理Ｃを実行するするとともに、駆動モータを回転制御して駆動２を実行し、表示画面を大きく下げて、ハード構成のスイッチを押し込み操作したのと同様の感触を得ることができることが記載されているといえる。
　
　
　したがって、引用例には、以下の発明（以下、「引用発明」という。）が記載されているものと認められる。 
　
「表示パネルと、タッチパネルと、駆動モータとリンク機構からなり、　
　表示パネルとタッチパネルで表示画面を形成し、該表示画面に、操作ボタンやメッセージなどのタッチ操作できるタッチ操作部材が表示され、該タッチ操作部材をタッチ操作することにより、該タッチ操作部材の機能が実行され、
　駆動モータとリンク機構から移動機構を構成し、該移動機構によって前記表示画面をタッチパネルへの指先による圧力に応じて引っ込めるように移動でき、
　タッチパネルはタッチセンサと圧力センサからなり、
　さらに、タッチセンサの検出出力と圧力センサの検出圧力Ｐとが供給される制御部と、記憶部、とを有し、
　該制御部は、検出出力Ｐと、予め設定されている圧力値Ｐ１、Ｐ２、及び記憶部に記憶されているデータを基に、表示パネル、駆動モータを制御する、タッチパネルを備えた表示装置において、
　制御部は、タッチ操作部材が操作ボタンの際に、タッチパネルへの指先のタッチ操作がなされ、圧力センサの検出圧力ＰがＰ１≦Ｐ＜Ｐ２となるとタッチパネルへのタッチがされたと判断し、指先のタッチ位置を検出し、これを記憶部のデータと比較して、操作ボタンの表示エリア（以下、操作ボタンエリアという）内にあるかどうかを判定し、表示画面で操作ボタンエリア内にタッチ位置があるときには、まず、処理Ｂとして操作ボタンの色が変化し、
　さらに、Ｐ２≦Ｐのときには、指先のタッチ位置が操作ボタンのエリア内にあるとき、決定処理に相当する処理Ｃを実行するするとともに、駆動モータを回転制御して駆動２を実行し、表示画面を大きく引っ込め、ハード構成のスイッチを押し込み操作したのと同様の感触を得ることができる、
　タッチパネルを備えた表示装置。」 
　
　
４．対比・判断
　
ａ）引用発明の「タッチパネルを備えた表示装置」は、表示画面のタッチ操作部材をタッチ操作することにより、該タッチ操作部材の機能を実行するものであり、タッチ操作は入力操作といえ、引用発明の「タッチパネルを備えた表示装置」は、本願発明の「入力装置」に相当する。
　
ｂ）引用発明の「タッチセンサ」、「圧力センサ」、及び「表示パネル」は、本願発明の「タッチセンサ」、「荷重検出部」、及び「表示部」に相当する。
　
ｃ）引用発明の「駆動モータとリンク機構から移動機構を構成し、該移動機構によって前記表示画面をタッチパネルへの指先による圧力に応じて引っ込めるように移動でき」において、表示画面は表示パネルとタッチパネルで構成され、さらに、タッチパネルはタッチセンサと圧力センサからなっており、移動機構はタッチセンサを駆動するものと認められる。
　また、引用発明の「駆動モータを回転制御して駆動２を実行し、表示画面をガタンと大きくさらに引っ込め、ハード構成のスイッチを押し込み操作したのと同様の感触を得ることができる」における駆動モータは、移動機構を構成するものであり、表示画面の引っ込みは移動機構が行っているものと認められ、さらに、引っ込みによって「ハード構成のスイッチを押し込み操作したのと同様の感触を得ることができる」ものであるから、移動機構は引っ込みによって指先に感覚を呈示しているといえる。
　したがって、引用発明の「移動機構」と、本願発明の「タッチセンサのタッチ面を振動させる触感呈示部」は、「前記タッチセンサのタッチ面を駆動させる感覚呈示部」で共通する。
　
ｄ）引用発明の「制御部は、タッチ操作部材が操作ボタンの際に、タッチパネルへの指先のタッチ操作がなされ、圧力センサの検出圧力ＰがＰ１≦Ｐ＜Ｐ２となるとタッチパネルへのタッチがされたと判断し、指先のタッチ位置を検出し、これを記憶部のデータと比較して、操作ボタンの表示エリア（以下、操作ボタンエリアという）内にあるかどうかを判定し、表示画面で操作ボタンエリア内にタッチ位置があるときには、まず、処理Ｂとして操作ボタンの色が変化し」は、表示画面の操作ボタンを指先で押しタッチパネへの圧力がＰ≧Ｐ１であると、表示画面の操作ボタンの色を変えることであり、表示画面の操作ボタンが指先で押すことは入力操作であるから、引用発明の「制御部は、圧力センサの検出圧力ＰがＰ≧Ｐ１となるとタッチパネルへのタッチがされたと判断し、指先のタッチ位置を検出し、これを記憶部のデータと比較して、操作ボタンの表示エリア（以下、操作ボタンエリアという）内にあるかどうかを判定し、表示画面で操作ボタンエリア内にタッチ位置があるときには、まず、処理Ｂとして操作ボタンの色が変化」は、本願発明の「タッチ面に対する入力により、表示画像が変化」に相当する。　
　さらに、引用発明の「さらに、Ｐ２≦Ｐのときには、タッチ位置が操作ボタンのエリア内にあるとき、決定処理に相当する処理Ｃを実行するするとともに、駆動モータを回転制御して駆動２を実行し、表示画面をガタンと大きくさらに引っ込め、ハード構成のスイッチを押し込み操作したのと同様の感触を得る」は、制御部が圧操作ボタンの色が変化している状態で、さらに、圧力センサの検出圧力ＰがＰ２≦Ｐのときに、上記ｃ）にも記したように、移動機構によって表示画面の引っ込みを行い、該引っ込みによって感覚を指先に呈示し、操作ボタンの決定処理を行うものであり、Ｐ２は感覚を呈示する荷重基準といえ、タッチパネルは指先で押されており、指先が押圧対象といえ、さらに、決定処理を行うことは所定の処理を実行することである。
　したがって、引用発明の「制御部」と、本願発明の「制御部」は、「タッチ面に対する入力により、表示画像が変化しているときに、荷重検出部が感覚を呈示する荷重基準を満たす押圧荷重を検出すると、前記タッチ面を押圧している押圧対象に対して感覚を呈示するように前記感覚呈示部を制御するともに、所定の処理を実行するように制御する制御部」で共通する。
　　
　したがって、本願発明と引用発明とを対比すると、両者は、以下の点で一致し、また、相違している。
　
（一致点）
　　
「タッチセンサと、
　前記タッチセンサのタッチ面に対する押圧荷重を検出する荷重検出部と、
　表示部と、
　前記タッチセンサのタッチ面を駆動させる感覚呈示部と、
　前記タッチ面に対する入力により、表示画像が変化しているときに、前記荷重検出部が感覚を呈示する荷重基準を満たす押圧荷重を検出すると、前記タッチ面を押圧している押圧対象に対して感覚を呈示するように前記感覚呈示部を制御するとともに、所定の処理を実行するように制御する制御部と、
　を備えることを特徴とする入力装置。」
　　
（相違点）
　制御部と感覚呈示部による感覚の呈示が、本願発明では、タッチ面を振動させるものであるのに対して、引用発明では、タッチ面を引っ込めるものである点。　　　
　　
　以下、上記相違点について検討する。　
（相違点）に関して
　引用例の段落【０００６】〜【００１０】の記載から理解される引用発明が解決しようとした課題に照らせば、引用発明における「感覚の呈示」がタッチ面を引っ込めるというものである必要はなく、操作者がタッチしたことを認識できるものであればどのようなものでもよいことは、明らかである。
　一方、タッチ面に対するタッチ入力が受け入れられたことを示すフィードバックの感覚として、タッチセンサを振動させて、操作者の指先に対して触感を呈示することは、出願人も従来例として記載するように常套手段である。
　してみれば、引用発明の「感覚の呈示」を「タッチ面を引っ込める」に代え「振動」とすることは、当業者が容易になし得ることである。
　　　
　そして、本願発明の効果も、引用発明から想到される構成から当業者が予測できる範囲のものである。
　
　　
５．むすび
　
　以上によれば、本願発明は、引用例に記載された発明に基づいて当業者が容易に発明をすることができたものと認められる。
　したがって、本願は特許法第２９条第２項の規定により、特許を受けることができない。
　
　よって、結論のとおり審決する。